(57)【要約】【課題】所定以上の荷重が端末機器にかかっても、チルト脚の破損を防止できる端末機器におけるチルト脚の破損防止機構を提供する。【解決手段】電話機１には、上ケース２、下ケース３及び送受話器４が備えられている。下ケースの底面の一端側に設けられた一対の突出支持部３ａには、それぞれ第１脚部５が回転可能に取り付けられ、第１脚部には、第２脚部６が回転及びスライド可能に取り付けられている。（Ａ）図に示される電話機の大角度傾斜状態においては、第２脚部の第１係合部６ｅと第２係合部６ｆは、第１脚部の第１被係合部５ｆと第２被係合部５ｇにそれぞれ係合している。所定以上の荷重Ｐが電話機に矢印方向にかかると、両係合部は、弾性変形するため、両被係合部から外れ、電話機は、（Ｂ）図の状態に至る。この結果、第２脚部には、その長さ方向に荷重がかからない。このようにして、第２脚部の構造的強度が弱くても、第２脚部の破損は防止される。【選択図】      図１
2004320126.tif 000002
【特許請求の範囲】
【請求項１】
チルト脚を有する端末機器において、
前記チルト脚は、前記端末機器の本体に取り付けられる第１脚部と、前記第１脚部に回転及びスライド可能に取り付けられる第２脚部とから構成され、
前記第１脚部と前記第２脚部との間には、ロック機構が介在し、
所定以上の荷重が前記本体にかかると、前記ロック機構が解除されることによって、前記第２脚部の破損は防止され、前記ロック機構は復元可能であることを特徴とする端末機器におけるチルト脚の破損防止機構。
【請求項２】
前記ロック機構は前記第１脚部又は前記第２脚部の一方に設けられる係合部と他方に設けられる被係合部とから構成され、前記係合部又は前記被係合部は弾性変形可能であることを特徴とする請求項１記載の端末機器におけるチルト脚の破損防止機構。
【請求項３】
前記第１脚部は前記本体の突出支持部に回転可能に取り付けられることを特徴とする請求項１記載の端末機器におけるチルト脚の破損防止機構。
【請求項４】
チルト脚を有する端末機器において、
前記チルト脚は前記端末機器の本体に設けられる突出支持部に回転可能に収納されて取り付けられることを特徴とする端末機器におけるチルト脚の破損防止機構。
【発明の詳細な説明】
【０００１】
【発明の属する技術分野】
本発明は、端末機器におけるチルト脚の破損を防止する機構に関し、一用途例として電話機を挙げることができる。
【０００２】
【従来の技術】
まず、第１の従来の技術として、電話機等の機器の設置角度調整機構の要点について説明する（例えば、特許文献１参照。）。
【０００３】
図６に示されるように、電話機３１には、上ケース３２、下ケース３３及び送受話器３４が備えられている。上ケース３２には、テンキー３２ａ等が設けられている。下ケース３３の底面の一端側には、第１脚部３５が回転可能に取り付けられ、第１脚部３５には、第２脚部３６が回転及びスライド可能に取り付けられている（詳細は後述する。）。下ケース３３の底面の他端側には、ゴム等の弾性材料製の足部３３ａが取り付けられている。
【０００４】
下ケース３３の底面の一端側には、図７に示されるように、第１脚部３５と第２脚部３６を収容するために収容部３３ｂが設けられている。収容部３３ｂの側壁３３ｂ１には、軸３３ｃが設けられている。
【０００５】
図８（Ａ）は、下ケース３３が机上３７に水平に位置する状態を示し、第１脚部３５と第２脚部３６とが重ねられて収容部３３ｂに収容されている。第１脚部３５の一端には、ゴム等の弾性材料製の足部３５ａが取り付けられている。第２脚部３６の一端には、同様に足部３６ａが取り付けられ、足部３６ａの付近に足部３６ａと直交する方向に足部３６ｂが取り付けられている。この状態では、足部３６ｂが机上３７に接する。
【０００６】
図８（Ｂ）は、下ケース３３が机上３７に小角度傾斜して位置する状態を示す。第１脚部３５は、軸３３ｃを中心として第２脚部３６と共に収容部３３ｂから矢印方向に略９０度回転し、足部３５ａは、机上３７に接する。
【０００７】
図８（Ｃ）は、下ケース３３が机上３７に大角度傾斜して位置する状態を示す。第２脚部３６は、第１脚部３５に対して軸支持回転構造（図示せず）によって１８０度回転し、更に、ピンとガイド溝構造（図示せず）によって矢印方向にスライドし、足部３６ａは、机上３７に接する。
【０００８】
次に、第２の従来の技術として、電話機の角度調整装置の要点について説明する（たとえば、特許文献２参照。）。
【０００９】
図９と図１２に示されるように、電話機４１には、上ケース４２、下ケース４３及び送受話器４４が備えられている。下ケース４３の底面の一端側には、一対の第１脚部４５（一方のみ図示）が回転可能に取り付けられ、各第１脚部４５には、第２脚部４６がスライド可能に取り付けられている（詳細は後述する）。下ケース４３の底面の他端側には、足部４３ａが取り付けられている。
【００１０】
一対の第１脚部４５は、連結部材４７によって連結されている。各第１脚部４５の側面から水平方向に軸４８が突設されている。下ケース４３には、図１０に示される軸受部材４９が取り付けられている。軸受部材４９の下部（図１０は上下が逆に示される。）内側には、軸４８を挿入するための傾斜面４９ａが形成され、傾斜面４９ａは、下端側に至るに従い、次第に外方に傾斜する。軸受部材４９の中央には、軸受穴４９ｂが形成される。各第１脚部４５の軸４８は、軸受部材４９の内側に傾斜面４９ａから圧入され、軸受部材４９の弾性変形によって軸受穴４９ｂに抜出可能に挿入されている。
【００１１】
一対の第２脚部４６は、連結部材５０によって連結されている。各第２脚部４６は、各第１脚部４５の内側に突出挿入可能に支持され、各第２脚部４６に突設されたガイドリブ４６ａは、各第１脚部４５に形成されたガイド溝４５ａに係合する。ガイドリブ４６ａは、第２脚部４６の第１脚部４５に対する突出挿入の際のガイドとなる。各第１脚部４５の上下には、係合穴４５ｂ，４５ｃが形成され、各第２脚部４６には、係合穴４５ｂ，４５ｃに選択的に係合する係合突起４６ｂが形成されている。係合突起４６ｂには、図１１に示されるように、下方に至るに従い、次第に背方へ接近する傾斜面４６ｃが形成されている。各第２脚部４６の弾性変形によって、係合突起４６ｂを係合穴４５ｂ，４５ｃに選択的に係合することによって、各第２脚部４６を各第１脚部４５に対して挿入した状態又は突出した状態に保持することができる。
【００１２】
下ケース４３と連結部材５０には、それぞれ係合突部４３ｂと係合穴５０ａが対応して形成されている。各第２脚部４６が各第１脚部４５に挿入された状態で、両脚部４５，４６は、軸受穴４９ｂと軸４８を中心として図９に示される位置から電話機４１の下ケース４３の底面に沿う図１２（Ａ）に示される位置まで回転する。このとき、係合穴５０ａは、係合突部４３ｂに強制的に係合される。
【００１３】
各第１脚部４５の外面、すなわち、図１２（Ａ）に示される標準状態において、各第１脚部４５の机上５１と接する面には、足部４５ｄが取り付けられている。この状態では、電話機４１は、足部４３ａ，４５ｄによって机上５１に対するスリップを防止される。
【００１４】
図１２（Ａ）の標準状態において、係合穴５０ａを係合突部４３ｂから強制的に離脱させ、図１２（Ｂ）に示されるように、両脚部４５，４６を一体に下ケース４３の底面から矢印方向に略９０度回転させる。すると、電話機４１の操作面４２ａは、机上５１に対する傾斜角度を小角度だけ増加した状態に至る。この状態では、電話機４１は、下ケース４３の足部４３ａと各第２脚部４６の足部４６ｄによって机上５１に対するスリップを防止される。
【００１５】
図１２（Ｂ）の小角度傾斜状態において、各第２脚部４６を各第１脚部４５の下方に引張ると、図１１に示されるように、係合突起４６ｂが係合穴４５ｂから離脱して係合穴４５ｃに係合する。すると、電話機４１の操作面４２ａは、図１２（Ｃ）に示されるように、机上５１に対する傾斜角度を大角度増加した状態に至る。この状態では、電話機４１は、足部４３ａ，４６ｄによって机上５１に対するスリップを防止される。
【００１６】
【特許文献１】
特開平１０−２３１２６号公報（第４頁第５欄第１行−第５頁第８欄第７行、図１−図６）
【００１７】
【特許文献２】
特開平７−２５０１４５号公報（第２頁第２欄第１８行−第３頁第４欄第１０行、図１−図６）
【００１８】
【発明が解決しようとする課題】
前記両従来の技術は、チルト脚として第１脚部と第２脚部を有し、端末機器に３段階（設計変更を施すことによって４段階以上）の角度調整を行うことができる。しかし、所定以上の荷重が端末機器にかかった場合、チルト脚の破損防止を図る対策については、全く配慮されていない。
【００１９】
そこで、本発明は、前記両従来の技術の欠点を改良し、所定以上の荷重が端末機器にかかっても、チルト脚の破損を防止できる端末機器におけるチルト脚の破損防止機構を提供しようとするものである。
【００２０】
【課題を解決するための手段】
本発明は、前記課題を解決するため、次の手段を採用する。
【００２１】
１．チルト脚（５，６）を有する端末機器（１）において、前記チルト脚は、前記端末機器の本体（３ａ）に取り付けられる第１脚部（５）と、前記第１脚部に回転及びスライド可能に取り付けられる第２脚部（６）とから構成され、前記第１脚部と前記第２脚部との間には、ロック機構（５ｆ，５ｇ，６ｅ，６ｆ）が介在し、所定以上の荷重が前記本体にかかると、前記ロック機構が解除されることによって、前記第２脚部の破損は防止され、前記ロック機構は復元可能である端末機器におけるチルト脚の破損防止機構。
【００２２】
２．前記ロック機構は前記第１脚部又は前記第２脚部の一方に設けられる係合部（６ｅ，６ｆ）と他方に設けられる被係合部（５ｆ，５ｇ）とから構成され、前記係合部又は前記被係合部は弾性変形可能である前記１記載の端末機器におけるチルト脚の破損防止機構。
【００２３】
３．前記第１脚部は前記本体の突出支持部（３ａ）に回転可能に取り付けられる前記１記載の端末機器におけるチルト脚の破損防止機構。
【００２４】
４．チルト脚（５）を有する端末機器において、前記チルト脚は前記端末機器の本体に設けられる突出支持部に回転可能に収納されて取り付けられる端末機器におけるチルト脚の破損防止機構。
【００２５】
【発明の実施の形態】
本発明の一実施の形態例の電話機におけるチルト脚の破損防止機構について図１〜図５を参照して説明する。
【００２６】
図１（Ａ）は、電話機１が大角度傾斜して机上７に配置された状態を示す（図３（Ｃ）参照）。電話機１には、上ケース２、下ケース３及び送受話器４が備えられている。上ケース２には、テンキー２ａ等が設けられている。下ケース３の底面の一端側の両隅付近に設けられた各突出支持部３ａには、第１脚部５が回転可能に取り付けられ、第１脚部５には、第２脚部６が回転及びスライド可能に取り付けられている（詳細は後述する。）。各突出支持部３ａの先端には、スリップ防止のためにゴム等の弾性材料製の足部３ｂが取り付けられている。また、下ケース３の底面の他端側の両隅付近にも、足部３ｃが取り付けられている。
【００２７】
下ケース３、第１脚部５及び第２脚部６は、いずれも合成樹脂製であり、これらの関連構造について図１〜図３を参照して説明する。
【００２８】
図２に示されるように、第１脚部５は、中央に第２脚部６用の第１搭載部５ａ、一端側に第２搭載部５ｂ、他端側に一対の立板部５ｃを、それぞれ有する。第１搭載部５ａの両側には、ガイド５ａ１が設けられる。第２搭載部５ｂの両側面には、ガイドピン５ｂ１が設けられる。第１搭載部５ａと第２搭載部５ｂとの間には、凹所５ｄが形成される。各立板部５ｃの側面には、第１脚部５を突出支持部３ａに回転可能に取り付けるために、突出支持部３ａ内に設けられた突起状の一対の軸（図示せず）に対応するガイド溝５ｃ３が設けられている。また、第１脚部５の下面５ｅと各立板部５ｃの端面５ｃ２は、図１（Ｂ）の位置において、突出支持部３ａの内面に当接するので、第１脚部５は、突出支持部３ａ内の突起状の一対の軸を中心として左回転することを阻止される。
【００２９】
第２脚部６は、先端に足部６ａが取り付けられ、両側にガイド溝６ｂが設けられている。
【００３０】
第２脚部６を第１脚部５に連結する方法を説明すると、まず、図２（Ａ）に示されるように、各ガイド溝６ｂを各ガイドピン５ｂ１にはめて、第２脚部６を第１脚部５の第１搭載部５ａと第２搭載部５ｂに搭載すると、図２（Ｂ）に示される収納状態に至る。次に、第２脚部６を第１脚部５から引き出すと、各ガイド溝６ｂは各ガイドピン５ｂ１にガイドされ、また、第２脚部６の下面６ｃの両側は各ガイド５ａ１上をスライドして、図２（Ｃ）に示される突出状態に至る。この突出状態では、第２脚部６の後端部６ｄは、第１脚部５の凹所５ｄに係合している。
【００３１】
連結された一対の第１脚部５と第２脚部６を、図５（Ｂ）に示される下ケース３の各突出支持部３ａに収納して取り付けると、図５（Ａ）に示されるように、電話機１は、完成する。
【００３２】
電話機１の３段階の傾斜角度調整方法を説明する。まず、図３（Ａ）に示されるように、電話機１のテンキー２ａ等が設けられている面を机上７に対して１２．５度傾斜した標準角度傾斜状態にセットするときは、各第１脚部５と各第２脚部６を各第１脚部５のガイド溝５ｃ３がはまった突出支持部３ａ内の突起状の一対の軸を中心として回転させて、下ケース３の底面に平行な位置まで持ち来たす。この標準角度傾斜状態では、電話機１の各足部３ｂ，３ｃが、机上７に接する。
【００３３】
次に、図３（Ｂ）に示されるように、電話機１のテンキー２ａ等が設けられている面を机上７に対して２５度傾斜した小角度傾斜状態にセットするときは、各第１脚部５と各第２脚部６を各第１脚部５のガイド溝５ｃ３がはまった突出支持部３ａ内の突起状の一対の軸を中心として図３（Ａ）の位置から可能な限度まで左回転させ、突出支持部３ａ内に設けられた立板部５ｃ挿入用の穴部（図示せず）に立板部５ｃを突き当て部５ｃ４が突き当たるまで挿入する。この小角度傾斜状態では、電話機１の各足部３ｃと各第２脚部６の足部６ａが、机上７に接する。
【００３４】
続いて、図３（Ｃ）に示されるように、電話機１のテンキー２ａ等が設けられている面を机上７に対して３２．５度傾斜した大角度傾斜状態にセットするときは、図２（Ｃ）に示されるように、各第２脚部６を各第１脚部５から引き出す。この大角度傾斜状態では、電話機１の各足部３ｃと各第２脚部６の足部６ａが、机上７に接する。
【００３５】
第１脚部５と第２脚部６とのロック機構を図１（Ａ）を参照して説明する。第２脚部６には、それぞれ断面略Ｌ字形状に折曲した第１係合部６ｅと第２係合部６ｆが設けられている。両係合部６ｅ，６ｆは、弾性変形可能である。第１脚部５には、それぞれ段状に形成された第１被係合部５ｆと第２被係合部５ｇが設けられている。図１（Ａ）の状態、すなわち、図３（Ｃ）の大角度傾斜状態では、第１係合部６ｅは第１被係合部５ｆと係合し、第２係合部６ｆは第２被係合部５ｇと係合している。
【００３６】
電話機１に荷重Ｐが矢印方向にかかった場合、荷重Ｐが例えば約２０ｋｇｆ未満のときは、電話機１は図１（Ａ）の状態を維持する。荷重Ｐが約２０ｋｇｆ以上のときは、第１脚部５と第２脚部６とのロック機構が解除され、電話機１は図１（Ｂ）の状態に移行する。すなわち、両係合部６ｅ，６ｆが弾性変形するため、両係合部６ｅ，６ｆは両被係合部５ｆ，５ｇから外れ、第２脚部６は机上７に倒れる。この結果、第２脚部６には、その長さ方向に荷重がかからない。ただし、第１脚部５の各ガイドピン５ｂ１は、第２脚部６の各ガイド溝６ｂ内に位置する。したがって、第１脚部５と第２脚部６との関係を図１（Ａ）の状態に簡易かつ迅速に復元させることができる。このようにして、第２脚部６の構造的強度が弱くても、第２脚部６の破損は防止される。
【００３７】
両係合部６ｅ，６ｆを第１脚部５に、両被係合部５ｆ，５ｇを第２脚部６に、それぞれ設けるように設計変更することができる。また、両被係合部５ｆ，５ｇを弾性変形可能に設計変更することができる。
【００３８】
本実施の形態例では、各第１脚部５は、図３（Ｂ）の状態では、突出支持部３ａ内に設けられた立板部５ｃ挿入用の穴部（図示せず）に立板部５ｃを突き当て部５ｃ４が突き当たるまで挿入されている。また、各第１脚部５は、図３（Ｂ）の状態では、下ケース３の各突出支持部３ａに挿入収納されて取り付けられ、各第１脚部５の下面５ｅ、端面５ｃ２及両側面が、各突出支持部３ａの内面にそれぞれ当接するようになっている。すなわち、各第１脚部５は、突出支持部３ａの四面によって囲われている。したがって、例えば、図３（Ｂ）の状態で、誤って成人男性（図１（Ａ）における荷重Ｐが約６０ｋｇｆ）が電話機１の上に乗ってしまっても、各第１脚部５の破損は防止される。
【００３９】
本実施の形態例において、チルト脚としては、第１脚部５のみが存在し、第２脚部６が欠如しても、発明が構成される。
【００４０】
【発明の効果】
以上の説明から明らかなように、本発明によれば、次の効果が、奏される。
【００４１】
１．所定以上の荷重が端末機器の本体にかかっても、ロック機構が解除されることによって、第２脚部の破損は防止され、また、ロック機構は直ちに復元可能である。
【００４２】
２．チルト脚（第１脚部）は、端末機器の本体に設けられる突出支持部に回転可能に収納されて取り付けられるので、構造上堅牢である。
【００４３】
３．破損防止機構は、簡素に構成されるので、製作を簡易に行うことができ、組立分解が便利で、更に、コストが安価である。
【図面の簡単な説明】
【図１】本発明の一実施の形態例の電話機におけるチルト脚の破損防止機構の諸図であり、（Ａ）は大角度傾斜状態にセットされた電話機の側面図、チルト脚の断面図及びチルト脚のロック機構の拡大断面図、（Ｂ）は同ロック機構が解除された状態の同電話機の側面図、（Ｃ）は同チルト脚を構成する第１脚部と第２脚部の側面図を、それぞれ示す。
【図２】同チルト脚の諸斜視図であり、（Ａ）は同第２脚部が同第１脚部に収納される前の状態、（Ｂ）は同第２脚部が同第１脚部に収納された状態、（Ｃ）は同第２脚部が同第１脚部から引き出された状態を、それぞれ示す。
【図３】同電話機の諸傾斜状態の側面図であり、（Ａ）は標準角度傾斜状態、（Ｂ）は小角度傾斜状態、（Ｃ）は大角度傾斜状態を、それぞれ示す。
【図４】同電話機の背面図であり、（Ａ）は大角度傾斜状態、（Ｂ）は小角度傾斜状態を、それぞれ示す。
【図５】同電話機の下面側から見た斜視図であり、（Ａ）は同チルト脚が同電話機の突出支持部に取り付けられた状態、（Ｂ）は同チルト脚が同電話機の突出支持部に取り付けられる前の状態を、それぞれ示す。
【図６】第１の従来の電話機の側面図である。
【図７】同電話機における下ケースの断面図である。
【図８】同電話機における下ケースとチルト脚の諸状態の断面図であり、（Ａ）は標準状態、（Ｂ）は小角度傾斜状態、（Ｃ）は大角度傾斜状態を、それぞれ示す。
【図９】第２の従来の電話機の要部の斜視図である。
【図１０】同電話機におけるチルト脚の軸受部材の斜視図である。
【図１１】同電話機におけるチルト脚を構成する第１脚部と第２脚部との係合構造を示す断面図である。
【図１２】同電話機の諸状態の側面図であり、（Ａ）は標準状態、（Ｂ）は小角度傾斜状態、（Ｃ）は大角度傾斜状態を、それぞれ示す。
【符号の説明】
１    電話機
２    上ケース
２ａ    テンキー
３    下ケース
３ａ    突出支持部
３ｂ    足部
３ｃ    足部
４    送受話器
５    第１脚部
５ａ    第１搭載部
５ａ１    ガイド
５ｂ    第２搭載部
５ｂ１    ガイドピン
５ｃ    立板部
５ｃ２    端面
５ｃ３    ガイド溝
５ｃ４    突き当て部
５ｄ    凹部
５ｅ    下面
５ｆ    第１被係合部
５ｇ    第２被係合部
６    第２脚部
６ａ    足部
６ｂ    ガイド溝
６ｃ    下面
６ｄ    後端部
６ｅ    第１係合部
６ｆ    第２係合部
７    机上
【図１】
2004320126.tif 000003
【図２】
2004320126.tif 000004
【図３】
2004320126.tif 000005
【図４】
2004320126.tif 000006
【図５】
2004320126.tif 000007
【図６】
2004320126.tif 000008
【図７】
2004320126.tif 000009
【図８】
2004320126.tif 000010
【図９】
2004320126.tif 000011
【図１０】
2004320126.tif 000012
【図１１】
2004320126.tif 000013
【図１２】
2004320126.tif 000014